(57)【要約】      （修正有）【課題】高価な気化性物質を極少量ずつ配布することにより、利用者にとって必要な分量のみを供給できる小型気体発散具の提供。【解決手段】表面から内部空間に貫通する微細な放出孔を有し、かつ柔軟性を有するプラスチックを素材とした中空容器１の中に、大気中に暴露することで気化する物質をガラス製またはプラスチック製のアンプル４に密封したものを収納し、中空容器を曲げることでアンプルを破砕し、中空容器に設けられた放出孔を通じて大気中に気化した物質を発散する。【選択図】図１
2008254757.tif 000002
【特許請求の範囲】
【請求項１】
表面から内部空間に貫通する微細な放出孔を有し、かつ柔軟性を有するプラスチックを素材とした中空容器の中に、大気中に暴露することで気化する物質をガラス製またはプラスチック製のアンプルに密封したものを収納し、中空容器を曲げることでアンプルを破砕し、中空容器に設けられた前記放出孔を通じて大気中に気化した物質を発散することを特徴とした小型気体発散具。
【請求項２】
中空容器を平板形状とした、請求項１記載の小型気体発散具。
【請求項３】
中空容器を略断面三日月型とし、放出孔を該中空容器凹面部にのみ設けた、請求項１記載の小型気体発散具。
【請求項４】
中空容器を円筒状とした、請求項１記載の小型気体発散具。
【請求項５】
中空容器内にアンプル破砕機構を設けた、請求項１記載の小型気体発散具。
【請求項６】
吊り下げ穴または粘着テープまたは接着剤などを用い、カード、広告、チラシ、カタログ、装身具などに装着する機能を付加した、請求項１〜３記載の小型気体発散具。
【発明の詳細な説明】
【技術分野】
【０００１】
本発明は、液体から気化することにより芳香、消臭、防虫、治癒などの作用を有する揮発性の高い物質を、保管中においては外部に漏洩することのない状態で保持し、気体の作用が必要な際に簡単な操作でこれを発散せしめることができる小型の気体発散具に関するものである。
【背景技術】
【０００２】
従来、気体の性状において効力を持つ物質の配布においては、瓶やガスボンベなどの密閉容器によるものが一般的であるが、この方法では極少量の内容物を多数配布することが難しく、それを所望する利用者にとっても不必要な分量の供給を受けなければならないという問題があった。
【０００３】
その問題を解決する一つの方法として、気化性物質を含浸させた厚紙、多孔性の樹脂、繊維状シートなどを樹脂袋などに密封して配布するなどの手段が用いられているが、樹脂袋は概して気体の透過性を有しているため、配布物の製作から供給までの間に配布すべき物質の多くが大気中に漏れ出してしまうという問題があった。またこの配布方法においては、未開放状態においても含浸されている物質がわずかながら大気中の酸素や炭酸ガス等の反応性成分及び水分と接触するため、含浸されている物質が非酸化性あるいは酸性物質と化学反応またはイオン結合を行うもの、あるいは加水分解や水分子を配位するものである場合は、保管、流通の過程において有効成分の変質などが避けられない問題があり、配布せしめることができる気化性物質の種類に制限があった。
【０００４】
また、特許公開公報２００３−２０６３０において発明された揮発性物質発散具においては、前述の二つの問題点は解消し得るものの、物質の密封に用いるガラスアンプルを破砕して気体を大気中に発散させるという行為に付随して生じるガラス破片を利用者に暴露させないために、中空容器の気体発散部位にフィルタを設けなければならず、その結果として物質は流れの悪いフィルタ内を通過しなければならないため、気体を発散させようとする行為から実際に気体が大気中に放出されるまでに時間的差異が大きいという欠点があった。
【０００５】
また、上記の発明においては中空容器の形状が円筒形とならざるを得ず、化粧品や香料など利用者に対して高級感をイメージさせなければならない物質の配布に対してはデザイン上不適当な手段であった。
【特許文献１】特開２００３−２０６３０号公報
【発明の開示】
【発明が解決しようとする課題】
【０００６】
本発明が解決しようとする第一の課題は、高価な気化性物質を極少量ずつ配布することにより、利用者にとって必要な分量のみを供給できることにある。
第二の課題は、気化性物質の密封に用いる素材として気体透過性の極めて悪いガラスアンプルを用い、製作から流通までの間の物質の漏洩や変質を防止することにある。
第三の課題は、破砕後のガラス破片を暴露させない手段として微細な孔を設けることにより、気体を発散させようとする行為から実際に気体が大気中に放出されるまでの時間を短縮せしめることにある。
第四の課題は、配布すべき気化性液体が直接人体などに触れることが望ましくない場合において、その気化性液体が微細な孔を通じて中空容器外部に漏れ出した場合でも、液体のまま直接外部に暴露しにくい形状とすることにある。
第五の課題は、気体発散具の大きさやデザインを工夫することにより、化粧品や香料など利用者に対して高級感をイメージさせなければならない物質の配布を容易にすることにある。
第六の課題は、前述のように従来の気体発散具は円筒状であるためデザインの工夫に限界があり、かつ折り曲げてアンプルを破砕していたが、本発明では偏平状の気体発散具の中央付近を指で軽く押圧する方法でアンプルを破砕することにある。
【課題を解決するための手段】
【０００７】
本発明は、表面から内部空間に貫通する微細な放出孔を有し、かつ柔軟性を有するプラスチックを素材とした中空容器の中に、大気中に暴露することで気化する物質をガラス製またはプラスチック製のアンプルに密封したものを収納し、中空容器を曲げることでアンプルを破砕し、中空容器に設けられた前記放出孔を通じて大気中に気化した物質を発散することを最も主要な特徴とする。
【発明の効果】
【０００８】
本発明の小型気体発散具は、少量ずつの供給や配布が困難な気化性物質を、安全かつ安価に配布可能となる利点がある。
【発明を実施するための最良の形態】
【０００９】
本発明を実施例により説明する。
【実施例１】
【００１０】
図１に示すように、中空容器１は平板型となっている。中空容器１の材質は柔軟性または可撓性のあるプラスチック類として、ポリプロピレン、ポリエチレン、軟質ポリウレタン、軟質ポリ塩化ビニル、ポリエチレンテレフタレートなどが使用できる。
【００１１】
中空容器１の大きさや形状は任意であるが、製造や流通及び利用者の取り扱いを容易にすることを目的として、本実施例厚みがおよそ３ミリメートル、直径が２0ミリメートルの円盤状とした。
中空容器１の両端または一端２は、アンプル収容前は開放されているが、アンプル収容後は図１に示すとおり気密性の高いキャップや接着剤を用いて密封するか、中空容器の材質を加熱して軟化させ、成型、密封する。
【００１２】
。
中空容器１には、内部空間に貫通する微細な放出孔３が円盤の下面凹部（へこみ）１１に設けられている。図２に示すようにカード９に両面テープ８や熱溶着にて貼り付けた場合、矢印の方向へ指で押圧するとガラスアンプル４はブリッジされた状態にあるため容易に割れる。このブリッジ状態がアンプル破砕機構である。気化性物質５はカード表面に付着するが指には付かない。また凹部１１（へこみ）はトンネル状となって外部とつながっているため、空気がながれ発散を阻害することはない。
なお、放出孔の形状、直径及び個数は任意であるが、破砕前及び破砕後のアンプル材料の本体及び破片が外部に露出せず、かつアンプル内部の気化性物質５が大気中に容易に放出されるものとし、穴の形状は円形で直径は10マイクロメートルから500マイクロメートル、孔の個数は気化性物質５の性質に応じて一個から十個程度が望ましい。
【００１３】
図１の中空容器１の内部には、気化性物質５が封入されたアンプル４が封入されている。アンプル４の材質は中空容器１を曲げることで容易に破砕し得るものとして、ガラス、硬質のポリスチレン、ポリプロピレン、ポリ塩化ビニルなどが使用できるが、気体の透過性の極めて悪いガラスを用いるのが望ましい。アンプル４の両端は図１に示すとおり、材質を加熱して軟化させ、適当な方法にて成型、密封するが、例えば気密性の高いキャップや接着剤を用いて密封することもできる。
中空容器１に封入するアンプル４は中空容器１に収納できる大きさ、形状でなければならないが、直径は５ミリメートル以下で長さ３０ミリメートル以下が望ましい。中空容器１に収容するアンプル４の数量は任意である。本実施例では直径は１ミリメートル、長さ２０ミリメートルを使用した。
【００１４】
気化性物質５は、アンプルに封入可能な性状であれば任意であるが、アンプルに充填及び封入の容易な粘土の低い液状物質が望ましい。
【００１５】
アンプル４が破砕されていない状態では、アンプル４の内部の気化性物質５はアンプル素材の気体遮断性により大気中に放出されることはなく、かつ気化性物質５のアンプル外部の酸素、炭酸ガス、水分などからも遮断させるため、非破砕状態においては気化性物質５の品質を長く維持することができる。
アンプル４は中空容器１の外部より曲げられることにより破砕され、内容物である気化性物質５を中空容器１の内部空間に放出する。
本発明品は、中空容器１の内部空間に放出された気化性物質５がすべて大気中に放出されるまで気体発散の機能を維持することができる。
【実施例２】
【００１６】
図３、図4に示すように全体が角が丸みのある長方形とし、図４のように断面略三日月としたものである。長方形とすることでアンプルの数を増やすことができる。
【実施例３】
【００１７】
図５、図６は実施例２では接着面積が小さいためデザインも考慮して改良されたものである。
【実施例４】
【００１８】
図７、図８、図９に示すように、中空容器１の下面に複数の放出孔３を設けて、この放出孔３をふさがないように両面テープ８を貼り付ける。なお本実施例では図９に示すようにアンプル４の両端をプレート７に載せブリッジ状態としている。従ってアンプル下部に空間ができているから上から指で軽く押し付けるだけでアンプル４が割れる。
【００１９】
以上実施例１〜実施例４までは、放出孔３を中空容器１の下面に設けたものであるが、気化性物質５が香水などの多少液が付着しても問題のないものである場合は、上面あるいは側面にもうけてもよいのは言うまでも無い。
【実施例５】
【００２０】
図１０に示すように直径φ３ｍｍ長さ２３ｍｍの円筒状中空容器１の表面に複数の放出孔３を設けたものである。
【実施例６】
【００２１】
図１１、図１２に示したように、ポリエチレン・テレフタレートフィルム（厚さ０．１２ｍｍ）を真空成形にて直径２０φ、高さ３．５ｍｍの下部が開口した上部容器６を作り、この容器の外周のフランジ状溶着部をカード９の表面に熱溶着して中空容器１を完成させる。図１２に示すようにアンプル４の下にドーナツ状のプレート７が介在している。フィルムの弾力を利用して容器１の中央を押すとブリッジした状態にあるアンプルの中央付近がおされて割れる。放出孔３は容器の側面部分に設けており、その孔から香水の香りが出る。
本実施例では放出孔３を容器の側面部分に設けたが、上面に設けるなど限定するものではない。またアンプル４の本数も限定するものではない。さらに必要により図１２に示すようにガラスアンプル４の破片が容器を突き破るのを防止し、装飾的効果を加えた円盤状保護プレート１０をアンプル４と容器１の間に配置することもある。図１３は円盤状保護プレート１０の内側に楔型１２のアンプル破砕機構を設けた例である。
【００２２】
本発明は、香気を発散することを目的とする化粧品や香料の提供、及び消臭剤や害虫忌避剤、気体において効力を持つ医薬品などの提供において、極少量を変質や漏洩損失を伴わずに配布可能である。また、気化する以前の物質が身体や物品に直接接触することが望ましくない場合において、かかる物質が直接身体や物品に接触し難い状態を維持しつつ気体の発散が可能である。
【図面の簡単な説明】
【００２３】
【図１】本発明の実施例１の小型気体発散具の平面図。）
【図２】図１G-G線の断面説明図。
【図３】本発明の実施例２の小型気体発散具の平面図
【図４】図３E-E線の断面説明図。
【図５】本発明の実施例３の小型気体発散具の平面図
【図６】図５C-C線の断面説明図。
【図７】本発明の実施例４の小型気体発散具の平面図
【図８】図７A-A線の断面説明図。
【図９】図８B-B線の断面説明図。
【図１０】本発明の実施例５の小型気体発散具の説明図
【図１１】本発明の実施例６の小型気体発散具の説明図
【図１２】図１１F-F線の断面説明図。
【図１３】アンプル破砕機構の一例の説明図
【符号の説明】
【００２４】
１    中空容器
２    中空容器の口の一端または両端
３    放出孔
４    アンプル
５    気化性物質
６    上部容器
７    アンプル破砕機構（プレート）
８    両面テープ
９    カード
１０  保護プレート
１１  凹部
１２  楔型
【図１】
2008254757.tif 000003
【図２】
2008254757.tif 000004
【図３】
2008254757.tif 000005
【図４】
2008254757.tif 000006
【図５】
2008254757.tif 000007
【図６】
2008254757.tif 000008
【図７】
2008254757.tif 000009
【図８】
2008254757.tif 000010
【図９】
2008254757.tif 000011
【図１０】
2008254757.tif 000012
【図１１】
2008254757.tif 000013
【図１２】
2008254757.tif 000014
【図１３】
2008254757.tif 000015
【手続補正書】
【提出日】平成19年6月13日(2007.6.13)
【手続補正１】
【補正対象書類名】特許請求の範囲
【補正対象項目名】全文
【補正方法】変更
【補正の内容】
【特許請求の範囲】
【請求項１】
表面から内部空間に貫通する微細な放出孔を有し、かつ柔軟性を有するプラスチックを素材とした中空容器の中に、大気中に暴露することで気化する物質をガラス製またはプラスチック製のアンプルに密封したものを収納し、中空容器を曲げることでアンプルを破砕し、中空容器に設けられた前記放出孔を通じて大気中に気化した物質を発散することを特徴とした小型気体発散具。
【請求項２】
中空容器を平板形状とした、請求項１記載の小型気体発散具。
【請求項３】
中空容器を略断面三日月型とし、放出孔を該中空容器凹面部にのみ設けた、請求項１記載の小型気体発散具。
【請求項４】
中空容器を円筒状とした、請求項１記載の小型気体発散具。
【請求項５】
中空容器内にアンプル破砕機構を設けた、請求項１記載の小型気体発散具。
【請求項６】
吊り下げ穴または粘着テープまたは接着剤などを用い、カード、広告、チラシ、カタログ、装身具などに装着する機能を付加した、請求項１〜３記載の小型気体発散具。
【請求項７】
表面から内部空間に貫通する微細な放出孔を有し、かつ少なくとも天板部分が柔軟性を有するプラスチックを素材とした平板形状の中空容器の中に、大気中に暴露することで気化する物質をガラス製のアンプルに密封したものを収納し、中空容器の天板部分を押圧することでアンプルを破砕し、中空容器に設けられた前記放出孔を通じて大気中に気化した物質を発散することを特徴とした小型気体発散具。
【請求項８】
表面から内部空間に貫通する微細な放出孔を有し、かつ少なくとも天板部分が柔軟性を有するプラスチックを素材とした平板形状の中空容器の中に、大気中に暴露することで気化する物質をガラス製のアンプルに密封したものを収容し、且つ該アンプルはプレート状部材に載せてブリッジ状態とし、中空容器の天板部分を押圧することでアンプルを破砕し、中空容器に設けられた前記放出孔を通じて大気中に気化した物質を発散することを特徴とした小型気体発散具。
【請求項９】
表面から内部空間に貫通する放出孔を有し、かつ少なくとも天板部分が柔軟性を有するプラスチックを素材とした平板形状の中空容器の中に、吸収性素材および大気中に暴露することで気化する物質をガラス製のアンプルに密封したものを収納し、中空容器の天板部分を押圧することでアンプルを破砕し、吸収性素材に吸収された物質が中空容器底部に設けられた前記放出孔を通じて大気中に気化した物質を発散することを特徴とした小型気体発散具。
【請求項１０】
表面から内部空間に貫通する放出孔を有し、かつ少なくとも天板部分が柔軟性を有するプラスチックを素材とした平板形状の中空容器の中に、吸収性素材および大気中に暴露することで気化する物質をガラス製のアンプルに密封したものを収納し、且つ該アンプルは中央部分が凹状となったプレート状部材に載せてブリッジ状態とし、中空容器の天板部分を押圧することでアンプルを破砕し、吸収性素材に吸収された物質が中空容器底部に設けられた前記放出孔を通じて大気中に気化した物質を発散することを特徴とした小型気体発散具。
【手続補正２】
【補正対象書類名】明細書
【補正対象項目名】全文
【補正方法】変更
【補正の内容】
【発明の詳細な説明】
【技術分野】
【０００１】
本発明は、液体から気化することにより芳香、消臭、防虫、治癒などの作用を有する揮発性の高い物質を、保管中においては外部に漏洩することのない状態で保持し、気体の作用が必要な際に簡単な操作でこれを発散せしめることができる小型の気体発散具に関するものである。
【背景技術】
【０００２】
従来、気体の性状において効力を持つ物質の配布においては、瓶やガスボンベなどの密閉容器によるものが一般的であるが、この方法では極少量の内容物を多数配布することが難しく、それを所望する利用者にとっても不必要な分量の供給を受けなければならないという問題があった。
【０００３】
その問題を解決する一つの方法として、気化性物質を含浸させた厚紙、多孔性の樹脂、繊維状シートなどを樹脂袋などに密封して配布するなどの手段が用いられているが、樹脂袋は概して気体の透過性を有しているため、配布物の製作から供給までの間に配布すべき物質の多くが大気中に漏れ出してしまうという問題があった。またこの配布方法においては、未開放状態においても含浸されている物質がわずかながら大気中の酸素や炭酸ガス等の反応性成分及び水分と接触するため、含浸されている物質が非酸化性あるいは酸性物質と化学反応またはイオン結合を行うもの、あるいは加水分解や水分子を配位するものである場合は、保管、流通の過程において有効成分の変質などが避けられない問題があり、配布せしめることができる気化性物質の種類に制限があった。
【０００４】
また、特許公開公報２００３−２０６３０において発明された揮発性物質発散具においては、前述の二つの問題点は解消し得るものの、物質の密封に用いるガラスアンプルを破砕して気体を大気中に発散させるという行為に付随して生じるガラス破片を利用者に暴露させないために、中空容器の気体発散部位にフィルタを設けなければならず、その結果として物質は流れの悪いフィルタ内を通過しなければならないため、気体を発散させようとする行為から実際に気体が大気中に放出されるまでに時間的差異が大きいという欠点があった。
【０００５】
また、上記の発明においては中空容器の形状が円筒形とならざるを得ず、化粧品や香料など利用者に対して高級感をイメージさせなければならない物質の配布に対してはデザイン上不適当な手段であった。
【特許文献１】特開２００３−２０６３０号公報
【発明の開示】
【発明が解決しようとする課題】
【０００６】
本発明が解決しようとする第一の課題は、高価な気化性物質を極少量ずつ配布することにより、利用者にとって必要な分量のみを供給できることにある。
第二の課題は、気化性物質の密封に用いる素材として気体透過性の極めて悪いガラスアンプルを用い、製作から流通までの間の物質の漏洩や変質を防止することにある。
第三の課題は、破砕後のガラス破片を暴露させない手段として微細な孔を設けることにより、気体を発散させようとする行為から実際に気体が大気中に放出されるまでの時間を短縮せしめることにある。
第四の課題は、配布すべき気化性液体が直接人体などに触れることが望ましくない場合において、その気化性液体が微細な孔を通じて中空容器外部に漏れ出した場合でも、液体のまま直接外部に暴露しにくい形状とすることにある。
第五の課題は、気体発散具の大きさやデザインを工夫することにより、化粧品や香料など利用者に対して高級感をイメージさせなければならない物質の配布を容易にすることにある。
第六の課題は、前述のように従来の気体発散具は円筒状であるためデザインの工夫に限界があり、かつ折り曲げてアンプルを破砕していたが、本発明では偏平状の気体発散具の中央付近を指で軽く押圧する方法でアンプルを破砕することにある。
【課題を解決するための手段】
【０００７】
本発明は、表面から内部空間に貫通する微細な放出孔を有し、かつ柔軟性を有するプラスチックを素材とした中空容器の中に、大気中に暴露することで気化する物質をガラス製またはプラスチック製のアンプルに密封したものを収納し、中空容器を曲げることでアンプルを破砕し、中空容器に設けられた前記放出孔を通じて大気中に気化した物質を発散することを最も主要な特徴とする。
【発明の効果】
【０００８】
本発明の小型気体発散具は、少量ずつの供給や配布が困難な気化性物質を、安全かつ安価に配布可能となる利点がある。
【発明を実施するための最良の形態】
【０００９】
本発明を実施例により説明する。
【実施例１】
【００１０】
図１に示すように、中空容器１は平板型となっている。中空容器１の材質は柔軟性または可撓性のあるプラスチック類として、ポリプロピレン、ポリエチレン、軟質ポリウレタン、軟質ポリ塩化ビニル、ポリエチレンテレフタレートなどが使用できる。
【００１１】
中空容器１の大きさや形状は任意であるが、製造や流通及び利用者の取り扱いを容易にすることを目的として、本実施例厚みがおよそ３ミリメートル、直径が２0ミリメートルの円盤状とした。
中空容器１の両端または一端２は、アンプル収容前は開放されているが、アンプル収容後は図１に示すとおり気密性の高いキャップや接着剤を用いて密封するか、中空容器の材質を加熱して軟化させ、成型、密封する。
【００１２】
。
中空容器１には、内部空間に貫通する微細な放出孔３が円盤の下面凹部（へこみ）１１に設けられている。図２に示すようにカード９に両面テープ８や熱溶着にて貼り付けた場合、矢印の方向へ指で押圧するとガラスアンプル４はブリッジされた状態にあるため容易に割れる。このブリッジ状態がアンプル破砕機構である。気化性物質５はカード表面に付着するが指には付かない。また凹部１１（へこみ）はトンネル状となって外部とつながっているため、空気がながれ発散を阻害することはない。
なお、放出孔の形状、直径及び個数は任意であるが、破砕前及び破砕後のアンプル材料の本体及び破片が外部に露出せず、かつアンプル内部の気化性物質５が大気中に容易に放出されるものとし、穴の形状は円形で直径は10マイクロメートルから500マイクロメートル、孔の個数は気化性物質５の性質に応じて一個から十個程度が望ましい。
【００１３】
図１の中空容器１の内部には、気化性物質５が封入されたアンプル４が封入されている。アンプル４の材質は中空容器１を曲げることで容易に破砕し得るものとして、ガラス、硬質のポリスチレン、ポリプロピレン、ポリ塩化ビニルなどが使用できるが、気体の透過性の極めて悪いガラスを用いるのが望ましい。アンプル４の両端は図１に示すとおり、材質を加熱して軟化させ、適当な方法にて成型、密封するが、例えば気密性の高いキャップや接着剤を用いて密封することもできる。
中空容器１に封入するアンプル４は中空容器１に収納できる大きさ、形状でなければならないが、直径は５ミリメートル以下で長さ３０ミリメートル以下が望ましい。中空容器１に収容するアンプル４の数量は任意である。本実施例では直径は１ミリメートル、長さ２０ミリメートルを使用した。
【００１４】
気化性物質５は、アンプルに封入可能な性状であれば任意であるが、アンプルに充填及び封入の容易な粘土の低い液状物質が望ましい。
【００１５】
アンプル４が破砕されていない状態では、アンプル４の内部の気化性物質５はアンプル素材の気体遮断性により大気中に放出されることはなく、かつ気化性物質５のアンプル外部の酸素、炭酸ガス、水分などからも遮断させるため、非破砕状態においては気化性物質５の品質を長く維持することができる。
アンプル４は中空容器１の外部より曲げられることにより破砕され、内容物である気化性物質５を中空容器１の内部空間に放出する。
本発明品は、中空容器１の内部空間に放出された気化性物質５がすべて大気中に放出されるまで気体発散の機能を維持することができる。
【実施例２】
【００１６】
図３、図4に示すように全体が角が丸みのある長方形とし、図４のように断面略三日月としたものである。長方形とすることでアンプルの数を増やすことができる。
【実施例３】
【００１７】
図５、図６は実施例２では接着面積が小さいためデザインも考慮して改良されたものである。
【実施例４】
【００１８】
図７、図８、図９に示すように、中空容器１の下面に複数の放出孔３を設けて、この放出孔３をふさがないように両面テープ８を貼り付ける。なお本実施例では図９に示すようにアンプル４の両端をプレート７に載せブリッジ状態としている。従ってアンプル下部に空間ができているから上から指で軽く押し付けるだけでアンプル４が割れる。
【００１９】
以上実施例１〜実施例４までは、放出孔３を中空容器１の下面に設けたものであるが、気化性物質５が香水などの多少液が付着しても問題のないものである場合は、上面あるいは側面にもうけてもよいのは言うまでも無い。
【実施例５】
【００２０】
図１０に示すように直径φ３ｍｍ長さ２３ｍｍの円筒状中空容器１の表面に複数の放出孔３を設けたものである。
【実施例６】
【００２１】
図１１、図１２に示したように、ポリエチレン・テレフタレートフィルム（厚さ０．１２ｍｍ）を真空成形にて直径２０φ、高さ３．５ｍｍの下部が開口した上部容器６を作り、この容器の外周のフランジ状溶着部をカード９の表面に熱溶着して中空容器１を完成させる。図１２に示すようにアンプル４の下にドーナツ状のプレート７が介在している。フィルムの弾力を利用して容器１の中央を押すとブリッジした状態にあるアンプルの中央付近がおされて割れる。放出孔３は容器の側面部分に設けており、その孔から香水の香りが出る。
本実施例では放出孔３を容器の側面部分に設けたが、上面に設けるなど限定するものではない。またアンプル４の本数も限定するものではない。さらに必要により図１２に示すようにガラスアンプル４の破片が容器を突き破るのを防止し、装飾的効果を加えた円盤状保護プレート１０をアンプル４と容器１の間に配置することもある。図１３は円盤状保護プレート１０の内側に楔型１２のアンプル破砕機構を設けた例である。
【実施例７】
【００２２】
図１４、図１５にしめしたように、ポリプロリレンをインジェクションにて直径２０ｍｍ、高さ３ｍｍの内部が空洞の上部容器６および中央付近が凹状となった底部プレート１４を成形する。この上部容器６と底部プレート１４は密にはめ込む構造となっているが、必要により超音波やレーザーで溶着固定することもある。空洞部分にアンプル４および液体吸収性素材１３を収容する。使用するときは上部容器６の中央部分を指でおすと撓んでブリッジ状態にあるガラスアンプルが割れて出て来た液体は吸収性素材１３に一旦吸収され放出孔３から気化する。なお吸収性素材１３は過剰の液体が外に流出するのを防ぐとともにガラスの砕片が出るのも防止する役目もある。
この放出孔３は、液体の揮発速度により孔の数や孔の大きさを定める。また放出孔３は底部に設けたが限定するものではない。なお図１５に示すように両面テープは放出孔３を塞がないように付けるのは言うまでもない。
さらに底部に放出孔３を設けると、気化性液体が微細な孔を通じて中空容器外部に漏れ出した場合でも、液体のまま直接外部に暴露しにくい。
【００２３】
本発明は、香気を発散することを目的とする化粧品や香料の提供、及び消臭剤や害虫忌避剤、気体において効力を持つ医薬品などの提供において、極少量を変質や漏洩損失を伴わずに配布可能である。また、気化する以前の物質が身体や物品に直接接触することが望ましくない場合において、かかる物質が直接身体や物品に接触し難い状態を維持しつつ気体の発散が可能である。
【図面の簡単な説明】
【００２４】
【図１】本発明の実施例１の小型気体発散具の平面図。）
【図２】図１G-G線の断面説明図。
【図３】本発明の実施例２の小型気体発散具の平面図
【図４】図３E-E線の断面説明図。
【図５】本発明の実施例３の小型気体発散具の平面図
【図６】図５C-C線の断面説明図。
【図７】本発明の実施例４の小型気体発散具の平面図
【図８】図７A-A線の断面説明図。
【図９】図８B-B線の断面説明図。
【図１０】本発明の実施例５の小型気体発散具の説明図
【図１１】本発明の実施例６の小型気体発散具の説明図
【図１２】図１１F-F線の断面説明図。
【図１３】アンプル破砕機構の一例の説明図
【図１４】本発明の実施例７の小型気体発散具の平面図
【図１５】図１４H-H線の断面説明図
【符号の説明】
【００２５】
１    中空容器
２    中空容器の口の一端または両端
３    放出孔
４    アンプル
５    気化性物質
６    上部容器
７    アンプル破砕機構（プレート）
８    両面テープ
９    カード
１０  保護プレート
１１  凹部
１２  楔型
１３  吸収性素材
１４  底部プレート
【手続補正３】
【補正対象書類名】図面
【補正対象項目名】図１４
【補正方法】追加
【補正の内容】
【図１４】
2008254757.tif 000016
【手続補正４】
【補正対象書類名】図面
【補正対象項目名】図１５
【補正方法】追加
【補正の内容】
【図１５】
2008254757.tif 000017